(57)【要約】【課題】再利用可能で、組立・分解を極めて短時間で行うことができ、室内の天井高さや構造等にできるだけ制約を受けず、取り付け作業による発塵の影響が少ない室内の仮設間仕切り装置を低コストで提供する。【解決手段】床面と天井面との中間に配置される室内の間仕切り装置であり、遮蔽シート１２を張設した額縁状の本体枠１４と、本体枠１４にスライド自在に係合して本体枠１４との全長長さを縦方向に伸縮させる調整枠１６と、本体枠１４と調整枠１６との任意の伸縮係合位置でそれぞれの枠を床面と天井面とに突き当てて固定させる固定機構１８と、遮蔽シート非張設部２７と、を備え、固定機構１８は、調整枠１６を下部側に配置させた状態で本体枠１４を持ち上げ状に支持する持ち上げ支持装置２０からなる。【選択図】図５
2007031936.tif 000002
【特許請求の範囲】
【請求項１】
床面と天井面との中間に配置される室内の間仕切り装置であり、
遮蔽シートを張設した額縁状の本体枠と、
本体枠にスライド自在に係合して本体枠との全長長さを縦方向に伸縮させる調整枠と、
本体枠と調整枠との任意の伸縮係合位置でそれぞれの枠を床面と天井面とに突き当てて固定させる固定機構と、を備えたことを特徴とする室内の仮設間仕切り装置。
【請求項２】
固定機構は、調整枠を下部側に配置させた状態で本体枠を持ち上げ状に支持する持ち上げ支持装置からなる請求項１記載の室内の仮設間仕切り装置。
【請求項３】
持ち上げ支持装置は、本体枠と調整枠とを縦に貫通する長ボルトと、
長ボルトに螺合しつつ長ボルトに沿って上下に移動するナット体と、を含むことを特徴とする請求項２記載の室内の仮設間仕切り装置。
【請求項４】
固定機構は、ナット体を介して本体枠と調整枠を床面と天井面とに突き当てて固定させた状態でさらに本体枠と調整枠との係合部位を固定させる固定手段が設けられていることを特徴とする請求項２又は３記載の室内の仮設間仕切り装置。
【請求項５】
調整枠を床面に着地させた状態で本体枠を上方に伸長移動させる際に調整枠側を押え操作するための遮蔽シート非張設部が形成されていることを特徴とする請求項１ないし４のいずれかに記載の室内の仮設間仕切り装置。
【請求項６】
本体枠は、左右に対向して離隔配置された左右縦枠部材を含むとともに、調整枠は、左右縦枠部材とスライド自在に係合する左右スライド枠部材を含み、本体枠の左右縦枠部材のスライド下限位置において床面から所要の高さで、左右縦枠部材の下端側間に挟まれた部分の空隙を遮蔽シート非張設部としていることを特徴とする請求項１ないし５のいずれかに記載の室内の仮設間仕切り装置。
【請求項７】
本体枠は、該空隙の上限位置になるように左右縦枠部材に横架された下横枠部材を設けていることを特徴とする請求項１ないし６のいずれかに記載の室内の仮設間仕切り装置。
【請求項８】
本体枠の上端側に、天井面と当接する緩衝部材を設けていることを特徴とする請求項１ないし７のいずれかに記載の室内の仮設間仕切り装置。
【請求項９】
本体枠又は調整枠の枠部材自体あるいは枠部材間に換気機構、照明機構、空気フィルタのいずれか又はそれらのうちの複数を設置したことを特徴とする請求項１ないし８のいずれかに記載の室内の仮設間仕切り装置。
【請求項１０】
本体枠の上端側に天井面からの突出物の形状に対応した凹部を形成したことを特徴とする請求項１ないし９のいずれかに記載の室内の仮設間仕切り装置。
【請求項１１】
本体枠及び調整枠が平面視弧状に形成されていることを特徴とする請求項１ないし１０のいずれかに記載の室内の仮設間仕切り装置。
【請求項１２】
請求項１ないし１１のいずれかに記載の室内の仮設間仕切り装置と、ドア付き枠と、を組み合わせて間仕切りを出入り可能とした出入可能仮設間仕切り装置。
【発明の詳細な説明】
【技術分野】
【０００１】
本発明は、工場や事務所等において室内を必要に応じて一時的に間仕切るための装置に関する。
【背景技術】
【０００２】
一般に、工場や事務所等の室内の部分的な改装工事を行う際や、工場内の一部の装置を入れ替えたりする際等には、工事期間中の安全確保や工事区域から発生する塵等の問題のため、一時的に工事区域を囲う仮設の間仕切りを設けることが多い。特に、技術革新のスピードが早い半導体・液晶工場等においては、製造装置の陳腐化も早く、そのため製造装置の改良工事や入れ替え工事等を頻繁に行う必要がある。しかし、半導体・液晶工場等においては、例えば、前工程の製造装置一式をクリーンルーム内に一同に介して設置して製品処理を行っていることが多いので、一部の製造装置の入替え工事等であっても、その工事による発塵等の影響が他の製造装置等に及ばないように遮蔽した状態で工事を行う必要性が高い。さらに、これらの半導体・液晶工場等における莫大な投資額の回収の必要性から、工場の稼動を極力止めることなく、すなわちクリーンルームを稼動させたままでも、これらの工事を短期間で行うニーズが高い。従来、この種の間仕切りとしては、例えば、天井面と床面にそれぞれレールを設けて、パネルの上下縁をそのレールにはめ込んで間仕切りを構築する公知の組立式の間仕切りが知られている。しかし、上述したクリーンルーム内では、例えば天井に設けられた空気フィルタ等のため天井面にレールを設けることが困難という問題や、或いは、間仕切りの設置に時間を要して装置入替え等を含めた全体工期が長くなる等の問題があった。これらの問題に対して、例えば、特許文献１のクリーンルーム内の間仕切り機構が提案されている。特許文献１の図１によれば、同文献の図１に示されるようにフレーム材１を格子状に構成した天井フレーム２と、天井フレーム２の格子の交差位置３と床間に設置する間仕切り柱４とを組み込んで、天井フレーム２と間仕切り柱４に設けられたファスナ等の取付け部材（６、７）を介して機密幕材５を取付けるものである。
【特許文献１】特開平１０−２４５９１９
【発明の開示】
【発明が解決しようとする課題】
【０００３】
特許文献１によれば、天井フレーム２は吊りボルト９によって天井スラブに吊持されて設けられているため、天井側に吊りボルト９を吊持する吊持手段を別個に設ける必要がある。しかし、クリーンルームが稼動している最中に天井に吊持手段を設ける工事をすることは、クリーンルーム内の清浄度を維持する観点から困難である。したがって、特許文献１のクリーンルーム内の間仕切り機構の使用は、あらかじめ天井側に吊持手段を有するクリーンルーム等に限定されるため、汎用性が低いという問題があった。また、特許文献１によれば、天井と床の間に立設した間仕切り柱４の側面にファスナ等の取付け部材を設けた構成であるため、間仕切り柱４の高さ調整ができず、例えば、クリーンルームの高さに応じた複数の高さの間仕切り柱４をそれぞれ準備しなければならない等の問題があった。また、特許文献１によれば、天井フレーム２と間仕切り柱４とを組み込んだ後に天井フレーム２に設けたカバー部材を反転してファスナ等を露出させ、該ファスナ等に機密幕材５を取り付けるため、作業者は天井近傍まで上って取付け作業をせざるをえず、高所作業の危険性の問題や、間仕切り仮設までに時間がかかるという問題があった。さらに、特にダウンフローによるクリーンルームの場合には、天井近傍でのこれらの反転作業や機密幕材５の取付け作業による発塵が、下方にある製品等を汚染するリスクが高いという問題があった。加えて、特許文献１によれば、天井フレーム２と間仕切り柱４等の枠材と機密幕材５の他にも機密幕材５を枠材に取り付けるためのファスナ等を必要とし、製造コストが高くなるという問題があった。
【０００４】
本発明は上記従来の課題に鑑みてなされたものであり、その目的は、再利用可能で、組立・分解を極めて短時間で行うことができる室内の仮設間仕切り装置を、低コストで提供することにある。また、他の目的は、取り付け作業による発塵等の影響が少なく、室内の天井高さや構造等にできるだけ制約を受けない汎用性が高い室内の仮設間仕切り装置を提供することにある。
【課題を解決するための手段】
【０００５】
上記の目的を達成するために、本発明は、床面（ＦＬ）と天井面（ＳＬ）との中間に配置される室内の間仕切り装置１０であり、遮蔽シート１２を張設した額縁状の本体枠１４と、本体枠１４にスライド自在に係合して本体枠１４との全長長さを縦方向に伸縮させる調整枠１６と、本体枠１４と調整枠１６との任意の伸縮係合位置でそれぞれの枠を天井面と床面とに突き当てて固定させる固定機構１８と、を備えた構成としている。
【０００６】
その際に、固定機構１８は、調整枠１６を下部側に配置させた状態で本体枠１４を持ち上げ状に支持する持ち上げ支持装置２０からなる構成としてもよい。また、持ち上げ支持装置２０は、本体枠１４と調整枠１６とを縦に貫通する長ボルト２２と、長ボルト２２に螺合しつつ長ボルト２２に沿って上下に移動するナット体２４と、を含んでいてもよい。さらに、固定機構１８は、ナット体２４を介して本体枠１４と調整枠１６を天井面と床面とに突き当てて固定させた状態でさらに本体枠１４と調整枠１６との係合部位を固定させる固定手段２６が設けられていてもよい。
【０００７】
また、調整枠１６を床面に着地させた状態で本体枠１４を上方に伸長移動させる際に調整枠側を押え操作するための遮蔽シート非張設部２７が形成されていてもよい。その際、本体枠１４は、左右に対向して離隔配置された左右縦枠部材４８ａ、４８ｂを含むとともに、調整枠１６は、左右縦枠部材４８ａ、４８ｂとスライド自在に係合する左右スライド枠部材５８ａ、５８ｂを含み、本体枠１４の左右縦枠部材４８ａ、４８ｂのスライド下限位置において床面（ＦＬ）から所要の高さで、左右縦枠部材４８ａ、４８ｂの下端側間に挟まれた部分の空隙２８を遮蔽シート非張設部２７としてもよい。さらに、本体枠１４は、該空隙２８の上限位置になるように左右縦枠部材４８ａ、４８ｂに横架された下横枠部材５０ｂを設けた構成としてもよい。
【０００８】
また、本体枠１４の上端側に、天井面（ＳＬ）と当接する緩衝部材２９を設けていてもよいし、本体枠１４又は調整枠１６の枠部材自体あるいは枠部材間に換気機構３０、照明機構３２、空気フィルタ３４のいずれか又はそれらのうちの複数を設置していてもよい。さらに、本体枠１４の上端側に天井面からの突出物の形状に対応した凹部３６を形成してもよいし、本体枠１４及び調整枠１６が平面視弧状３８に形成されていてもよい。
【０００９】
また、請求項１ないし１１のいずれかに記載の室内の仮設間仕切り装置（１０）と、ドア付き枠４０と、を組み合わせて間仕切りを出入り可能とした構成の出入可能仮設間仕切り装置４２としてもよい。
【発明の効果】
【００１０】
本発明の室内の仮設間仕切り装置（以下「装置」という。）は、床面と天井面との中間に配置される室内の間仕切り装置であり、遮蔽シートを張設した額縁状の本体枠と、本体枠にスライド自在に係合して本体枠との全長長さを縦方向に伸縮させる調整枠と、本体枠と調整枠との任意の伸縮係合位置でそれぞれの枠を天井面と床面とに突き当てて固定させる固定機構と、を備えた構成であるから、例えば、工場等によって室内の天井高さがまちまちであっても、装置の全長長さを縦方向に伸縮させることで装置の全長長さを天井高さとなるように調整できるので、室内の天井高さの制約を受けることなく装置を仮設することができる。また、本体枠と調整枠とはスライド自在に係合しているので、本体枠と調整枠をスライドさせることで装置の全長長さの調整や調整枠の本体枠からの取り外しを容易に行うことができ、装置の組立・分解の短時間化を実現できる。また、額縁状の本体枠に遮蔽シートを張設した構成であるので、例えば、遮蔽シートの破損や汚染等が発生してクリーンルーム等で使用できなくなった場合には、遮蔽シートを未使用のものに張り替えることで装置を再利用することができる。さらに、本体枠と調整枠との任意の伸縮係合位置でそれぞれの枠を床面と天井面とに突き当てて固定させる固定機構を備えているので、例えば、特許文献１のように、天井面に吊持手段等を設けることや、天井フレーム２に緊密幕材５を取り付けたりする必要もないので、天井近傍における発塵のリスクも少なく、かつ、装置を短時間に仮設することができる。
【００１１】
また、固定機構は、調整枠を下部側に配置させた状態で本体枠を持ち上げ状に支持する持ち上げ支持装置からなる構成であるから、例えば、調整枠を床面に置いて、本体枠を該持ち上げ支持装置で上方にスライドさせて装置の全長長さを天井高さになるように調整しつつ本体枠を支持できるので、装置の高さ調整が容易となり仮設を迅速に行うことができる。
【００１２】
また、持ち上げ支持装置は、本体枠と調整枠とを縦に貫通する長ボルトと、長ボルトに螺合しつつ長ボルトに沿って上下に移動するナット体と、を含む構成であるので、例えば、ナット体を本体枠の下面に当接させて、長ボルトに螺合させつつナット体を回転して上下に移動させるという簡単な操作で本体枠を上下させることができる。また、該持ち上げ支持装置の構造簡略化並びに部品点数を少なくすることができ、装置の低コスト化を実現できる。
【００１３】
また、固定機構は、ナット体を介して本体枠と調整枠を天井面と床面とに突き当てて固定させた状態でさらに本体枠と調整枠との係合部位を固定させる固定手段が設けられていることから、本体枠と調整枠との係合が強化されて装置全体の剛性が高まる。また、該固定手段で本体枠と調整枠との係合部位を固定させれば、本体枠が落下することはないので、長ボルト体は不要となり、例えば、長ボルト体を外して後述の空気フィルタ等を調整枠の枠部材間に設置することも可能となり、装置の多機能化が図れる。
【００１４】
調整枠を床面に着地させた状態で本体枠を上方に伸長移動させる際に調整枠側を押え操作するための遮蔽シート非張設部が形成されている構成であるから、調整枠を床面に着地させた状態で、該遮蔽シート非張設部から、例えば足を差し込んで調整枠側を押さえて本体枠両手で抱えて上方に伸長移動させることができる。したがって、素早く本体枠１４を天井面（ＦＬ）に突き当てることができ、本発明の室内の間仕切り装置の仮設工事を極めて短時間で行うことができる。
【００１５】
本体枠は、左右に対向して離隔配置された左右縦枠部材を含むとともに、調整枠は、左右縦枠部材とスライド自在に係合する左右スライド枠部材を含み、本体枠の左右縦枠部材のスライド下限位置において床面から所要の高さで、左右縦枠部材の下端側間に挟まれた部分の空隙を遮蔽シート非張設部としている構成であるから、調整枠を床面に着地させた状態で、該遮蔽シート非張設部から、例えば足を差し込んで調整枠側を押さえて本体枠両手で抱えて上方に伸長移動させる操作を具体化でき、本発明の室内の間仕切り装置の仮設工事の短時間化を実効化できる。
【００１６】
本体枠は、該空隙の上限位置になるように左右縦枠部材に横架された下横枠部材を設けている構成であるから、例えば、下横枠部材から上側の本体枠部分のみに遮蔽シートを張設すれば、床面から所要の高さで、左右縦枠部材の下端側間に挟まれた部分を空隙とする遮蔽シート非張設部を確実に形成できる。したがって、該遮蔽シート非張設部による、本発明の室内の間仕切り装置の仮設工事の短時間化を実効化できる。また、本発明の室内の仮設間仕切り装置を立設後は、遮蔽シートを、下横枠部材と左右縦枠部材の下端側を利用して迅速に張設できる。
【００１７】
また、本体枠の上端側に、天井面と当接する緩衝部材を設けている構成であるから、該緩衝材を、例えば、弾性体等とすることで、装置を床面と天井面との中間に立設させた時に該弾性体を介して天井面に本体枠上端を圧接することができ、立設状態の安定性を高めることができる。また、装置は緩衝材を介して天井面に当接するので、天井面に配置されている、例えば、空気フィルタ等とも本体枠が直接当接して破損させることもない。
【００１８】
また、本体枠又は調整枠の枠部材自体あるいは枠部材間に換気機構、照明機構、空気フィルタのいずれか又はそれらのうちの複数を設置した構成であるので、例えば、間仕切りした領域の換気や、照明、或いは、空気浄化の必要に応じて装置を用いることができ、利便性が高まる。
【００１９】
また、本体枠の上端側に天井面からの突出物の形状に対応した凹部を形成した構成であるので、例えば、照明器具が天井面から突出している場合には、本体枠の上端側に該照明器具の形状に対応した凹部を形成した装置を用いて間仕切り可能となるので、天井面の形状等に制約を受けない汎用性の高い装置を提供できる。
【００２０】
また、本体枠及び調整枠が平面視弧状に形成されているので、例えば、室内の間仕切り箇所のレイアウト等に応じて、間仕切り面を湾曲面状にするように装置を仮設することもでき、汎用性が高まる。
【００２１】
請求項１ないし１０のいずれかに記載の室内の仮設間仕切り装置と、ドア付き枠と、を組み合わせて間仕切りを出入り可能とした出入可能仮設間仕切り装置とすることもできるので、例えば、ドアのないコーナ等に間仕切りを仮設する際に装置と該出入可能仮設間仕切り装置とを組合わせて用いれば、人が必要に応じて間仕切り領域内に該出入可能仮設間仕切り装置を介して侵入できるので、利便性が高まる。
【発明を実施するための最良の形態】
【００２２】
以下、添付図面を参照しつつ本発明を実施するための最良の形態について説明する。本発明の装置は、その全長長さを縦方向に伸縮しつつ極めて短時間で、室内の床面と天井面との中間に仮設することができる室内の仮設間仕切り装置である。図１ないし図５に示すように、本実施形態における室内の間仕切り装置１０ａは、遮蔽シート１２と、本体枠１４と、調整枠１６と、遮蔽シート非張設部２７と、固定機構１８と、緩衝部材２９と、を含む。
【００２３】
本実施形態において、本体枠１４は、間仕切り面としての後述する遮蔽シート１２を張設するための枠手段であり、左右縦枠部材４８ａ、４８ｂと、上下横枠部材５０ａ、５０ｂと、補強部材４６ａ、４６ｂと、を含み、長方形の額縁状に形成される。本実施形態において、これらの各部材（４８、５０、４６）は、それぞれが中空角棒部材で形成される。具体的には、左右縦枠部材４８ａ、４８ｂは、図１、２に示すように、例えば、２．５ｍ程度の長さで、3ｃｍ×５ｃｍ程度の長方形の中空断面を有し、少なくとも下端が開放した中空角棒部材で形成され、長方形断面の短辺に相当する側面どうしを対向させて、左右に離隔配置される。次に、上下横枠部材５０ａ、５０ｂは、該縦枠部材４８と同じ断面形状で、例えば、９０ｃｍ程度の長さを有する中空角棒部材でそれぞれ形成され、長方形断面の短辺側に相当する側面どうしを対向させて、上下に離隔配置される。そして、図１、２に示すように、該左右縦枠部材４８、４８の上端部どうしを上横枠部材５０ａで連結している。また、後述する遮蔽シート非張設部２７の上限位置に下横枠部材５０ｂを、左右縦枠部材４８ａ、４８ｂに横架されて設けており、本体枠１４は正面視で長方形状に形成される。このとき、左右縦枠部材４８ａ、４８ｂならびに上下横枠部材５０ａ、５０ｂは同じ長方形断面形状を有するので、短辺どうしを一致させるように連結すれば、図１ないし図４に示すように、これらの枠部材（４８、５０）の断面視長辺側の側面に沿って平坦面を形成するように連結させることができ、該平坦面が張設面５２を形成する。したがって、該張設面５２に後述する遮蔽シート１２を密接状態で張設できるので、遮蔽効果が高まり、特に、クリーンルーム等において有効である。次に、上下横枠部材５０ａ、５０ｂと略同じ形状・寸法を有する補強部材４６ａ、４６ｂを、図１、２に示すように、左右縦枠部材４８ａ、４８ｂに横架されて設け、本体枠１４を補強している。そして、本体枠１４は後述する調整枠１６ならびに持上げ支持装置２０にその下端部を支持されて床面に立設する。本実施形態において、縦枠部材４８ならびに横枠部材５０はアルミ製の中空型材で形成されるが、スチール製、合成樹脂製で形成されていてもよいし、本実施形態の寸法に限らず、必要に応じた任意の寸法とすることができる。また、断面形状も、後述する調整枠１６とスライド自在に係合できれば、例えば、凸状に形成してもよい。
【００２４】
本実施形態において、遮蔽シート１２は、本体枠１４に張設されて間仕切り区域の内外を遮蔽する遮蔽手段であり、長方形シートで形成される。具体的には、図１ないし図５に示すように、本体枠１４と略同じ幅と、上横枠部材５０ａから下横枠部材５０ｂ程度の長さの縦辺を有する、例えば、数十μmないし百μm程度の厚さの長方形のポリエチレン製シートで形成している。そして、上述した本体枠の張設面５２に、例えば、公知の両面粘着テープ（図示しない）等を介して張設される。また、一旦張設した遮蔽シートが、例えば、破損や汚染等によりクリーンルーム等で再使用できなくなった場合には、未使用の遮蔽シートに張り替えることで装置を再利用することができる。遮蔽シートは、ポリエチレン製に限らず、例えば、ポリエステル製等の合成樹脂製であってもよいし、必要に応じた厚さとしてもよい。また、遮蔽シートの帯電による、例えば、半導体素子の破壊等を防止するため、遮蔽シートに公知の導電性ポリマを被覆する等の導電処理を施していてもよい。
【００２５】
本実施形態において、調整枠１６は、本体枠１４とスライド自在に係合して本体枠１４を支承する本体枠支承手段であり、図１、２に示すように、左右スライド枠部材５８ａ、５８ｂと、底枠部材６０とで、正面視Ｕ字状に形成される。具体的には、左右スライド枠部材５８ａ、５８ｂは、上述した縦枠部材４８と略同じ長さで、該縦枠部材４８ａ、４８ｂの長方形断面の短辺よりやや短い辺からなる略正方形の断面寸法を有する中空角棒部材で形成され、該縦枠部材４８ａ、４８ｂの中空部に挿入される。また、底枠部材６０は、該スライド枠部材５８と同じ断面で、上述した横枠部材５０と略同じ長さを有する中空角棒部材で形成される。そして、図１、２に示すように、左右スライド枠部材５８ａ、５８ｂの下端部に底枠部材６０を、正面視略Ｕ字状に連結して形成される。そして、図２、３に示すように、本体枠１４の左右縦枠部材４８ａ、４８ｂの開放下端部から調整枠１６のスライド枠部材５８ａ、５８ｂをそれぞれ差し込んで、本体枠１４と調整枠１６とをスライド状に係合させれば、スライド枠部材５８は縦枠部材４８の内壁面に案内されて、スライド自在に装置の全長長さを縦方向に伸縮できる。本実施形態において、スライド枠部材５８ならびに底枠部材６０はアルミ製の中空型材で形成されるが、スチール製、合成樹脂製で形成されていてもよいし、必要に応じた任意の寸法とすることができる。また、上述した本体枠１４とスライド自在に係合できれば、スライド枠部材５８の断面形状は、例えば、凹状に形成してもよい。また、必要に応じて、調整枠１６に遮蔽シートを張設してもよい。以上のように、装置１０ａは、本体枠１４である長方形状の枠体と、調整枠１６であるＵ字状の枠体とを組み合わせて形成されているので、これらの枠体に薄い遮蔽シート１２を張設しても公知の間仕切り板等に比べて極めて軽量となり、運搬作業や持上げ作業等を容易に行うことができる。特に、本体枠１４と、調整枠１６とは、細長い金属型板、棒材、パイプ材等からなる外形枠と、その内側空隙にフィルム状の遮蔽シートを張った空間の区画遮蔽体と、から構成されるので、装置の軽量化、運搬の容易さ、組立・分解作業のしやすさ等の有利な点を有する。
【００２６】
本実施形態において、遮蔽シート非張設部２７は、調整枠１６を床面に着地させた状態で本体枠１４を上方に伸長移動させる際に調整枠側を押え操作する際の押さえ操作補助手段であり、下横枠部材５０ｂと、左右縦枠部材４８ａ、４８ｂと、底枠部材６０と、で形成される。図１、５に示すように、下横枠部材５０ｂは、上述した下横枠部材５０ｂと同一であり、本体枠１４の左右縦枠部材４８ａ、４８ｂのスライド下限位置において床面（ＦＬ）から、例えば足の甲程度の高さで、左右縦枠部材４８ａ、４８ｂの下端側間に横架されて形成される。また、左右縦枠部材４８ａ、４８ｂ並びに底枠部材６０は上述した部材と同一であり説明は省略する。そして、遮蔽シート非張設部２７は、図１、５に示すように、下横枠部材５０ｂと、左右縦枠部材４８ａ、４８ｂの下端側と、底枠部材６０とで、囲まれた長方形状の空隙として形成される。したがって、遮蔽シート非張設部２７から足を差し込み、後述する調整枠１６の底枠部材６０を足の裏で踏んだ状態で装置１０ａを固定しつつ本体枠を両手で上方に持上げることができるので、装置全長長さを調整して装置頭部を天井面に当接させる作業を容易に行うことができる。また、装置１０ａを立設固定後は、遮蔽シートを、下横枠部材５０ｂと左右縦枠部材４８ａ、４８ｂの下端側ないしは調整枠１６の左右スライド枠部材５８ａ、５８ｂを利用して迅速に張設できる。下横枠部材５０ｂの床面からの高さは、本実施形態の高さに限らず、必要に応じた所要の高さとすることができる。
【００２７】
本実施形態において、固定機構１８は、装置１０ａを室内の床面（ＦＬ）と天井面（ＳＬ）との間に立設させて固定するための、立設固定手段であり、持ち上げ支持装置２０と、固定手段２６と、を含む。本実施形態において、持ち上げ支持装置２０は、図２に示すように、調整枠１６を下部側に配置させた状態で本体枠１４を持ち上げ状に支持する本体枠１４の支持手段であり、長ボルト２２と、ナット体２４と、を含む。本実施形態において、長ボルト２２は、図２ないし図４に示すように、例えば、直径が１．５ｃｍ程度で、長さが１．５ｍ程度の円柱状の棒材の外周全長に亘ってネジ切りをして形成される。そして、長ボルト２２は、図２、３、５に示すように、その下端部を調整枠１６の底枠部材６０の中央部に当接させ、その上端側を本体枠１４の下横枠部材５０ｂの中央部に開孔した貫通孔２５に貫通させた状態で底部枠材６０に垂設している。次に、本実施形態のナット体２４は、長ボルト２２に螺合する、例えば、蝶ナット等のナット部材で形成される。そして、図２、３に示すように、本体枠１４の下横枠部材５０ｂの下方位置で該長ボルト２２と螺合している。したがって、ナット体２４を上方に移動させて下横枠部材５０ｂの下端面と当接させれば、本体枠１４の下降を規制でき、本体枠１４を持上げ状に支持する。また、ナット体２４を回転させて上下方向に移動させれば、下横枠部材５０ｂを介して本体枠１４を上下させることができるので、本体枠１４と調整枠１６との任意の伸縮係合位置で、それぞれの枠を床面（ＦＬ）と天井面（ＳＬ）に突き当てて固定させることができる。また、間仕切り本体枠１４を天井面に突き当てる際の調整も容易に行うことができ、仮設工事が容易となる。さらに、本実施形態において、持上げ支持装置２０は、長ボルト２２と、ナット体２４と、を含むので、部品点数も少なく、かつ、構造簡略化が図れ、低コスト化を図ることができる。また、長ボルト２２は、本実施形態の長さに限らず、必要に応じて、補強部材４６を貫通させて、例えば装置１０ａの略全長長さとしてもよい。また、一対の長ボルトとナット体によるものに限らず、複数対から形成されていてもよい。
【００２８】
本実施形態において、固定手段２６は、本体枠１４と調整枠１６とを連結固定する連結固定手段であり、縦枠部材４８と、スライド枠部材５８と、雄ネジ部材６２、６２と、雌ネジ部材６４、６４と、を含む。本実施形態において、縦枠部材４８と、スライド枠部材５８と、は上述したものと同じであり、その説明は省略する。次に、雄ネジ部材６２、６２は、図１ないし図３に示すように、本体枠１４の左右縦枠部材４８ａ、４８ｂの対向するそれぞれの側面であって、本体枠１４の下横枠部材５０ｂと縦枠部材４８の下端との中間位置に左右それぞれ設けられている。具体的には、図３に示すように、縦枠部材４８の長方形断面の長辺と略同じ長さのネジ切部を有する雄ネジ部材６２、６２を、その長手方向を床面に水平で、かつ、左右縦枠部材４８、４８の対向するそれぞれの側面と垂直に中空側に貫通して設けている。そして、左右縦枠部材４８ａ、４８ｂの対向するそれぞれの側面であって、該雄ネジ部材６２、６２と螺合する位置に雌ネジ部材６４、６４を固設している。したがって、本体枠１４と調整枠１６とをスライド係合状態で、該雄ネジ部材６２を縦枠部材４８ａ、４８ｂの中空断面内に螺入させてスライド枠部材５８ａ、５８ｂを縦枠部材４８ａ、４８ｂの内壁面６８ａ、６８ｂに圧接させれば、摺動摩擦が高まり、本体枠１４と調整枠１６の係合部位が固定される。よって、本体枠１４と調整枠１６との係合が強化されて装置全体の剛性が高まる。また、該固定手段２６で本体枠１４と調整枠１６との係合部位を固定させれば、本体枠１４が落下することはないので、長ボルト２２は不要となり、例えば、長ボルト２２を外して後述の空気フィルタ３４等を調整枠１６の枠部材間に設置することも可能となる。
【００２９】
本実施形態において、緩衝部材２９は、装置１０ａを天井面（ＳＬ）に圧接する圧接部位であり、本体枠１４の上端面に薄板弾性体７０を設けて形成される。具体的には、図１，２に示すように、該上端面と略同じ長方形の薄板弾性体７０を、本体枠１４の上横枠部材５０ｂの上端面に、例えば、両面粘着シートを介して設けている。したがって、装置１０ａを床面と天井面との中間に立設させて、該薄板弾性体７０を介して天井面に本体枠上端を圧接することができるので、立設状態の安定性を高めることができるとともに、天井面に配置されている、例えば、空気フィルタ等とも本体枠が直接当接して破損させることもない。本実施形態において、薄板弾性体７０はウレタン樹脂製で形成されるが、ある程度弾性を有するものであれば、他の合成樹脂製であってもよい。また、クリーンルーム等においては、発塵源となりにくい、例えば、シリコン樹脂製等を用いてもよい。
【００３０】
次に、本実施形態による装置１０ａの作用について図１ないし図５に基づいて説明する。まず、図１に示すように、調整枠１６の左右スライド枠部材５８ａ、５８ｂを、本体枠１４の左右縦枠部材４８ａ、４８ｂの中空内部にそれぞれ挿入して、本体枠１４と調整枠１６とをスライド自在に係合させる。特に、天井高さが、例えば４ｍ程度を超えるような高さを有する室内の場合に、４ｍを超えるような公知の間仕切り板を搬入することは困難であっても、本発明の装置１０ａを用いれば２ｍ程度の長さの本体枠１４と調整枠１６とに分割して搬入できるので、搬入・組立てが容易となる。次に、図１、５に示すように、遮蔽シート１２を、例えば、本体枠１４の上端から下横枠部材５０ｂまでの領域を覆って本体枠１４に張設する。この時、張設面５２は平端面なので遮蔽シート１２を密接させて張設できるので、遮蔽効果が高まり、特にクリーンルーム等で有効である。また、公知の間仕切り板等をクリーンルームに持ち込む際には、持ち込む前に、例えば、間仕切り板全面を拭き取る等の間仕切り板等に付着した塵や汚染の除去作業が必要とされるが、本発明の装置１０ａによれば、遮蔽シート１２を張設しない状態で本装置をクリーンルーム内に持ち込むことができるので、このような除去作業等が不要となり、仮設工事の準備作業を極めて短時間で行える。次に、調整枠１６の底枠部材６０を下側にして装置を床面に立設させて本体枠を上方に持上げる。このとき、図５に示すように、本体枠１４の下端側に遮蔽シート非張設部２７が形成されているので、調整枠１６を床面に着地させた状態で、該遮蔽シート非張設部２７から、例えば足を差し込んで調整枠側を押さえて本体枠１４を両手で抱えて上方に伸長移動させることができる。また、本体枠１４は枠体に薄い遮蔽シート１２を張設しただけなので極めて軽量であり、素早く本体枠１４を天井面（ＦＬ）に突き当てることができる等、装置１０ａの仮設工事を極めて短時間で行うことができる。また、本体枠１４が軽量なので、特に、ある程度天井高さが高い室内等で本体枠１４を高く持上げる必要がある場合に有利である。次に、図２、５に示すように、固定機構１８を介して、本体枠１４と調整枠１６のそれぞれの枠を床面と天井面とに突き当てて、装置を固定する。その際、固定機構１８は持上げ支持装置２０からなるので、該持上げ支持装置２０を介して、本体枠１４を持上げ状に支持しつつ上方に移動させて、本体枠１４の頭部を天井面（ＳＬ）に圧接できる。また、持上げ支持装置２０は、上述した長ボルト２２とナット体２４を含んでいるので、ナット体２４を回転させるという簡単な操作で、本体枠１４と調整枠１６のそれぞれの枠を床面（ＦＬ）と天井面（ＳＬ）に突き当てた状態で装置を固定でき、装置１０ａの仮設作業を極めて短時間で行うことができるとともに、製造コストも安くできる。また、このとき、本体枠１４はその上端側の薄板弾性体７０を介して天井面と当接しており、天井面に本体枠１４を突き当てる力をある程度強くできるので、立設状態の安定性を高めることができる。また、天井面（ＳＬ）に配置されている、例えば、空気フィルタ等とも本体枠１４が直接当接して破損させることもない。
【００３１】
次に、図３に示すように、固定手段２６を用いて、本体枠１４と調整枠１６の係合部位を固定する。この時、すでに装置は持上げ状に支持されているので本体枠１４を両手で抱えておく必要はなく、固定作業の省人化を図ることができる。また、係合部位が固定されるので、本体枠１４と調整枠１６との係合が強化されて装置全体の剛性が高まり、立設後に装置ががたつくこともない。また、更に、固定後は長ボルト２２等を取り外すことができ、調整枠１６に、例えば、空気フィルタ等を設置できる。次に、図６に示すように、本体枠１４の下端部や、調整枠１６を覆って遮蔽シート１３を張設すれば、装置全体に間仕切り面が構築される。以上のように、本発明の装置によれば、例えば、特許文献１のように、天井面に吊持手段等を設けることや、天井フレーム２に緊密幕材５を取り付けたりする必要もないので、天井近傍における発塵のリスクも少なく、かつ、装置を短時間に仮設することができる。また、装置を室内から撤去する際にも、上述の説明と逆の操作で容易に解体できるので、極めて短時間で撤去できる。また、天井高さが高くて、一台の装置１０ａでは天井まで届かないような場合には、例えば、ジョイント部材を介して枠部材を連結して二段積みとしてもよい。
【００３２】
次に、本発明の第２の実施形態について、図７に基づいて説明するが、第1実施形態と同一の部材には同一の符号を付し、その詳細な説明は省略する。本実施形態の装置１０ｂにおける第1実施形態との相違は、図７に示すように、換気機構３０、照明機構３２、空気フィルタ３４のいずれか又はそれらのうちの複数を設置している点である。本実施形態において、換気機構３０は、間仕切り区域内の換気手段であり、例えば、換気扇７２で形成される。具体的には、図７に示すように、本体枠１４の上端側であって上横枠部材５０ａのやや下方位置に、左右縦枠部材４８ａ、４８ｂを横架する換気扇取付け部材７４、７４を設け、該取付け部材７４、７４に換気扇７２を取り付けて形成している。換気機構は、換気扇に限らず、換気口であってもよい。
【００３３】
本実施形態において、照明機構３２は、図７に示すように、例えば、蛍光灯７６を、本体枠１４の縦枠部材４８の上端近傍に、該蛍光灯７６の長手方向を該縦枠部材４８の長手方向に一致させて設けている。したがって、例えば、装置を天井面に突き当てる際に、天井面に設置した照明器具を取り外す必要が生じた場合等に、本実施形態の装置１０ｂを用いれば有効である。照明機構は、本体枠１４の上横枠部材５０ａに取り付けてもよい。
【００３４】
本実施形態において、空気フィルタ３４は、空気清浄化手段であり、例えば、公知のＨＥＰＡフィルタで形成される。具体的には、図７に示すように、調整枠１６の下端側に、左右スライド枠部材５８ａ、５８ｂを横架するＨＥＰＡフィルタ取付け部材８０、８０を設け、該取付け部材８０、８０にＨＥＰＡフィルタ７８を取り付けて形成している。したがって、例えば、間仕切り区域内での工事等による発塵があっても、該塵を含んだ空気はＨＥＰＡフィルタ７８を通過する間に清浄化されるので、間仕切りを通過する空気流がある室内等で該装置１０ｂを用いる場合に特に有効である。
【００３５】
次に、本発明の第３の実施形態について、図８に基づいて説明するが、第1実施形態ならびに第２実施形態と同一の部材には同一の符号を付し、その詳細な説明は省略する。本実施形態における装置１０ｃと第１実施形態との相違点は、図８に示すように、装置の頭部に凹部３６を設けている点である。本実施形態において、本体枠８１は、左右縦枠部材４８ａ、４８ｂと、下横枠部材５０ｂと、凹部３６と、を含む。図８に示すように、凹部３６は、補強部材４６ｃと、左右アーム部材８２ａ、８２ｂと、左右支持部材８６ａ、８６ｂと、を含む。具体的には、補強部材４６ｃは、上述した補強部材４６ａ、４６ｂと寸法・形状を同一とする中空杆部材を、左右縦枠部材４８ａ、４８ｂの上端よりやや下方位置に、左右縦枠部材４８ａ、４８ｂを横架して形成する。次に、左右アーム部材８２ａ、８２ｂは、上述した上横枠部材４８ａを４分の１程度の長さとした部材で形成され、図８に示すように、該左右アーム部材８２ａ、８２ｂを補強部材４６ｃと平行にした状態で、その一端を左右縦枠部材４８ａ、４８ｂの上端にそれぞれ接続し、他端を本体枠８１の内側に向けてそれぞれ突出させて形成している。また、該左右支持部材８４ａ、８４ｂは、上述したアーム部材８２と略同じ形状・寸法の部材で形成され、その一端を左右アーム部材８２ａ、８２ｂの先端とそれぞれ接続し、他端を補強部材４６ｃの中間部にそれぞれ接続している。すなわち、図８に示すように、本体枠８１の頭部に、左右支持部材８４ａ、８４ｂと補強部材４６ｃで囲まれるように凹部３６を形成している。また、左右支持部材８６ａ、８６ｂの天井面と当接する上端面には、緩衝部材８８をそれぞれ設けている。したがって、図８に示すように、天井面に、例えば、照明器具等の突起物（８６）があっても、該突起物（８６）がある部分に本実施形態の装置１０ｃを用いて、室内の間仕切りをすることができるので、天井面の形状等に制約を受けずに汎用性が高まる。凹部の形状は、本実施形態の正面視逆台形状に限らず、突起物の形状に対応した、例えば、正面視長方形であってもよい。
【００３６】
次に、本発明の第４の実施形態について、図９、１０に基づいて説明するが、第1実施形態と同一の部材には同一の符号を付し、その詳細な説明は省略する。本実施形態における装置１０ｄと第１実施形態との相違点は、図１０に示すように、本体枠９０及び調整枠９２が平面視弧状３８に形成されている点である。本実施形態において、本体枠９０は、左右縦枠部材４８ａ、４８ｂと、上下横枠部材９４ａ、９４ｂと、補強部材９８、９８と、を含む。本実施形態の上下横枠部材９４ａ、９４ｂは、長手方向の形状が、図１０に示すように、平面視弧状３８の中空角棒部材で形成されている点で、第１実施形態の上下横枠部材５０ａ、５０ｂと異なる。そして、これらの部材（４８ａ、４８ｂ、９４ａ、９４ｂ）を第１実施形態と同様に配置して連結すれば、図９、１０に示すように、平面視弧状３８の本体枠９０が形成される。また、上下横枠部材９４ａ、９４ｂと略同じ平面視弧状３８の補強部材９８、９８を、図９に示すように、対向する左右縦枠部材４８ａ、４８ｂに横架されて設けて、本体枠９０を補強している。
【００３７】
本実施形態において、調整枠９２は、左右スライド枠部材５８ａ、５８ｂと、底枠部材１０２とで、正面視Ｕ字状に形成される。本実施形態の底枠部材１０２は、長手方向の形状が、図１０に示すように、平面視弧状３８の中空角棒部材で形成されている点で、第１実施形態における底枠部材６０と異なる。そして、これらの部材（５８ａ、５８ｂ、１０２）を第１実施形態と同様に配置して連結すれば、図９、１０に示すように、平面視弧状３８の調整枠９２が形成される。したがって、例えば、本実施形態の装置１０ｄの側面どうしを横設させて配置すれば、室内の間仕切り箇所のレイアウト等に応じて、間仕切り面を湾曲面状になるように本実施形態の装置１０ｄを仮設することもでき、汎用性が高まる。平面視弧状の形状は、本実施形態の形状に限らず、コーナ用として使用するために、略Ｃ字状としてもよい。
【００３８】
次に、本発明の第５の実施形態について、図１１に基づいて説明するが、第1実施形態と同一の部材には同一の符号を付し、その詳細な説明は省略する。本実施形態における装置４２と第１実施形態との相違点は、第１実施形態の装置１０ａと、ドア付き枠４０と、を組み合わせて間仕切りを出入り可能な仮設間仕切り装置４２とした点である。本実施形態において、出入り可能仮設間仕切り装置４２は、装置１０ａと、ドア付き枠４０と、上下梁部材１０８ａ、１０８ｂと、蝶番部材１０６と、を含む。なお、装置１０ａは、第１実施形態の装置１０ａと同じであるが、図１１に示すように、二つの装置１０ａ、１０ａを所要の間隔を空けて左右に配置している。本実施形態において、ドア付き枠４０は、該ドア付き枠を開閉して人が間仕切りを出入りする出入り部形成手段であり、左右縦枠部材１１０ａ、１１０ｂと、上下横枠部材１１２ａ、１１２ｂと、ノブ取り付け部材１１４と、ノブ部材１１６と、を含む。図１１において、左右縦枠部材１１０ａ、１１０ｂは、調整枠１６の枠部材（５８、６０）と略同じ断面形状で、所要の長さを有する、中空角棒部材で形成される。次ぎに、上下横枠部材１１２ａ、１１２ｂは、調整枠１６の底枠部材６０と略同じ形状・寸法の中空角棒部材で形成される。また、ノブ取り付け部材１１４は、ノブ部材１１６を取り付けることができる程度の幅と、横枠部材１１２と略同じ長さを有する薄板材から形成される。そして、図１１に示すように、ドア付き枠４０は、左右縦枠部材１１０ａ、１１０ｂと、上下横枠部材１１２ａ、１１２ｂと、を連結して、長方形の枠を形成し、該長方形の枠の長手方向の中間位置に、左右縦枠部材１１０ａ、１１０ｂを横架してノブ取り付け部材１１４を設け、該ノブ取り付け部材１１４のいずれかの一端側に公知のノブ部材１１６を取り付けて形成される。また、ドア付き枠１０４は長方形の枠で囲まれる領域を覆って、遮蔽シート１２が張設される。本実施形態において、装置４２は、上述した装置１０ａの間に二つのドア付き枠４０、４０を配置し、両開き状の出入り部となるように蝶番部材１０６を介して、左右それぞれのドア付き枠４０、４０と接続している。出入り部は、本実施形態の両開き状に限らず、一つのドア付き枠４０を用いて片開き状の出入り部としてもよい。
【００３９】
本実施形態において、上下梁部材１０８ａ、１０８ｂは、左右に配置された装置１０ａ、１０ａを連結して固定する連結固定手段であり、本体枠１４の横枠部材５０と同じ断面形状で、略２倍の長さの中空角棒部材で形成される。図１１に示すように、上梁部材１０８ａは、左右に配置された装置１０ａ、１０ａの上端どうしを連結固定し、下梁部材１０８ｂは、上述した二つのドア付き枠４０の略上端の高さ位置において、左右に配置された装置１０ａ、１０ａをそれぞれ連結固定している。そして、上下梁部材１０８ａ、１０８ｂと、左右のドア付き枠４０と、で囲まれる領域に遮蔽シート１２が張設される。以上のようにして形成される本実施形態の装置４２を、例えば、ドアのないコーナ等において第１実施形態の装置１０ａと該出入可能仮設間仕切り装置４２とを組合わせて用いれば、人が必要に応じて間仕切り領域内に該出入可能仮設間仕切り装置４２を介して侵入できるので、利便性が高まる。なお、組み合わせは、第１実施形態の装置１０ａに限らず、第２実施形態ないし第４実施形態のいずれとも組み合わせることができる。
【００４０】
以上のように、本発明の室内の仮設間仕切り装置によれば、再利用可能で、組立・分解を極めて短時間で行うことができ、取り付け作業による発塵等の影響が少なく、室内の天井高さや構造等にできるだけ制約を受けない汎用性が高い室内の仮設間仕切り装置を、低コストで提供できる。
【００４１】
以上説明した本発明の室内の仮設間仕切り装置は、上記した実施形態のみの構成に限定されるものではなく、特許請求の範囲に記載した本発明の本質を逸脱しない範囲において、任意の改変を行ってもよい。
【産業上の利用可能性】
【００４２】
本発明の室内の仮設間仕切り装置は、クリーンルームから通常の室内に至るまで、広範囲にわたって利用することができる。
【図面の簡単な説明】
【００４３】
【図１】本発明の第１実施形態に係る室内の仮設間仕切り装置の正面図である。
【図２】本発明の第１実施形態に係る室内の仮設間仕切り装置の使用状態を説明する正面図である。
【図３】図２のＡ−Ａ線断面図である。
【図４】図２のＢ−Ｂ線端面図である。
【図５】本発明の第１実施形態に係る室内の仮設間仕切り装置の使用状態を説明する斜視図である。
【図６】本発明の第１実施形態に係る室内の仮設間仕切り装置の仮設状態の例を説明する斜視図である。
【図７】本発明の第２実施形態に係る室内の仮設間仕切り装置の正面図である。
【図８】本発明の第３実施形態に係る室内の仮設間仕切り装置の正面図である。
【図９】本発明の第４実施形態に係る室内の仮設間仕切り装置の正面図である。
【図１０】図８の平面図である。
【図１１】本発明の第５実施形態に係る出入可能仮設間仕切り装置の正面図である。
【符号の説明】
【００４４】
１０ａ、１０ｂ、１０ｃ、１０ｄ  室内の仮設間仕切り装置
１２  遮蔽シート
１４、８１、９０  本体枠
１６、９２  調整枠
１８  固定機構
２０  持上げ支持装置
２２  長ボルト
２４  ナット体
２７  遮蔽シート非張設部
２８  空隙
２９  緩衝部材
３０  換気機構
３２  照明機構
３４  空気フィルタ
３６  凹部
３８  平面視弧状
４０  ドア付き枠
４２  出入可能仮設間仕切り装置
４８ａ、４８ｂ  左右縦枠部材
５０ｂ  下横枠部材
５８ａ、５８ｂ  左右スライド枠部材
【図１】
2007031936.tif 000003
【図２】
2007031936.tif 000004
【図３】
2007031936.tif 000005
【図４】
2007031936.tif 000006
【図５】
2007031936.tif 000007
【図６】
2007031936.tif 000008
【図７】
2007031936.tif 000009
【図８】
2007031936.tif 000010
【図９】
2007031936.tif 000011
【図１０】
2007031936.tif 000012
【図１１】
2007031936.tif 000013